(57)【要約】  周囲を画成する縁部を有する第１のパネルを含む枕が提供される。第２のパネルは、周囲を画成する縁部を有する。まちは、第１と第２のパネルを接合する。まちは、第１の空隙率を有する。まちは、複数のポートを含む。ポートはそれぞれ、第１の空隙率よりも大きい第２の空隙率を有する。
2018504169.tif 000002
【特許請求の範囲】
【請求項１】
周囲を画成する縁部を有する第１のパネルと、
周囲を画成する縁部を有する第２のパネルと、
前記第１および第２のパネルを接合するまちであって、第１の空隙率を有し、複数のポートを備え、前記ポートがそれぞれ、前記第１の空隙率よりも大きい第２の空隙率を有する、まちと
を備える、枕。
【請求項２】
前記第１および第２のパネルがそれぞれ、前記第１の空隙率よりも小さい第３の空隙率を有する、請求項１に記載の枕。
【請求項３】
前記ポートが多孔性の布を備える、請求項１に記載の枕。
【請求項４】
前記ポートがメッシュ材料を備える、請求項１に記載の枕。
【請求項５】
前記ポートが互いに離間しており、前記ポートのそれぞれが円形構成を有する、請求項１に記載の枕。
【請求項６】
前記ポートが互いに離間しており、前記ポートのそれぞれが多角形構成を有する、請求項１に記載の枕。
【請求項７】
前記まちが、編み模様から形成され、前記編み模様の一部であるレタリングを含む、請求項１に記載の枕。
【請求項８】
前記まちが前記第１のパネルの前記周囲全体に連続して延在するように、前記まちの第１の端部が前記第１のパネルの前記縁部に係合し、
前記まちが前記第２のパネルの前記周囲全体に連続して延在するように、前記まちの、前記第１の端部に対向する第２の端部が前記第２のパネルの前記縁部に係合する、請求項１に記載の枕。
【請求項９】
前記まちが前記第１および第２のパネルの周囲境界を画す、請求項１に記載の枕。
【請求項１０】
前記まちがオープンセル構造で形成される、請求項１に記載の枕。
【請求項１１】
前記オープンセル構造が、織り交ぜた糸により形成される、請求項１０に記載の枕。
【請求項１２】
前記オープンセル構造が、離間した糸により形成される、請求項１０に記載の枕。
【請求項１３】
前記第１のパネル、前記第２のパネル、および前記まちがカバーを画成し、前記枕が、前記カバーの中に配設された充填材料をさらに備える、請求項１に記載の枕。
【請求項１４】
前記カバーの内側に配設された内側カバーをさらに備え、前記充填材料が前記内側カバーの中に配設される、請求項１３に記載の枕。
【請求項１５】
前記第１および第２のパネルがそれぞれ、前記第１の空隙率よりも小さい第３の空隙率を有するベース材料を備え、
前記第１および第２のパネルがそれぞれ、前記第１の空隙率、前記第２の空隙率、および前記第３の空隙率とは異なる第４の空隙率を有する入口を備える、請求項１に記載の枕。
【請求項１６】
前記第４の空隙率が前記第１の空隙率よりも大きい、請求項１５に記載の枕。
【請求項１７】
前記第４の空隙率が前記第１の空隙率よりも小さい、請求項１５に記載の枕。
【請求項１８】
前記第１および第２のパネルがそれぞれ、第１と第２の側部間に延在する対向する第１および第２の端部を備え、
前記第１のパネルの前記第１の側部が、前記第２のパネルの前記第１の側部に係合し、前記第１のパネルの前記第２の側部が、前記第２のパネルの前記第２の側部に係合し、
前記まちが、前記第１のパネルの前記第１の端部と、前記第２のパネルの前記第１の端部との間、および前記第１のパネルの前記第２の端部と、前記第２のパネルの前記第２の端部との間に配設される、請求項１に記載の枕。
【請求項１９】
前記第１および第２のパネルがそれぞれ、第１と第２の側部間に延在する対向する第１および第２の端部を備え、
前記第１のパネルの前記第１の側部が、前記第２のパネルの前記第１の側部に係合し、前記第１のパネルの前記第２の側部が、前記第２のパネルの前記第２の側部に係合し、
前記第１のパネルの前記第１の端部が、前記第２のパネルの前記第１の端部に係合し、
前記まちが、前記第１のパネルの前記第２の端部と、前記第２のパネルの前記第２の端部との間に配設される、請求項１に記載の枕。
【請求項２０】
前記第１および第２のパネルがそれぞれ、第１と第２の側部間に延在する対向する第１および第２の端部を備え、
前記第１のパネルの前記第１の端部が、前記第２のパネルの前記第１の端部に係合し、前記第１のパネルの前記第２の端部が、前記第２のパネルの前記第２の端部に係合し、
前記まちが、前記第１のパネルの前記第１の側部と、前記第２のパネルの前記第１の側部との間、および前記第１のパネルの前記第２の側部と、前記第２のパネルの前記第２の側部との間に配設される、請求項１に記載の枕。
【請求項２１】
前記第１および第２のパネルがそれぞれ、第１と第２の側部間に延在する対向する第１および第２の端部を備え、
前記第１のパネルの前記第１の端部が、前記第２のパネルの前記第１の端部に係合し、前記第１のパネルの前記第２の端部が、前記第２のパネルの前記第２の端部に係合し、
前記第１のパネルの前記第１の側部が、前記第２のパネルの前記第１の側部に係合し、
前記まちが、前記第１のパネルの前記第２の側部と、前記第２のパネルの前記第２の側部との間に配設される、請求項１に記載の枕。
【請求項２２】
フィルタ材料であって、前記フィルタ材料が前記ポートのそれぞれにわたって延在するように前記まちの内側面に係合するフィルタ材料をさらに備える、請求項１に記載の枕。
【請求項２３】
複数のキャップをさらに備え、前記キャップのそれぞれが、前記ポートの１つを覆う、請求項１に記載の枕。
【請求項２４】
前記キャップが、前記ポートから取り外し可能である、請求項２３に記載の枕。
【請求項２５】
前記ポートのうちの少なくとも２つが、チャネルを画成する内側面を備える連結部材によって互いに連結され、前記連結部材の第１の端部が第１の開口部を備え、前記連結部材の第２の端部が第２の開口部を備え、前記第１および第２の開口部が前記チャネルと連通しており、
前記ポートのうちの第１のポートが前記チャネルと連通するように、前記連結部材の前記第１の端部が前記ポートのうちの前記第１のポートに係合し、前記ポートのうちの第２のポートが前記チャネルと連通するように、前記連結部材の前記第２の端部が前記ポートのうちの前記第２のポートに係合する、請求項１に記載の枕。
【請求項２６】
前記チャネルが長手方向軸を画成し、前記チャネルが、前記連結部材の前記内側面および前記連結部材の外側面を通って延在する複数の孔を備え、それにより前記孔が前記チャネルと連通する、請求項２５に記載の枕。
【請求項２７】
前記第１のパネルの内側面、前記第２のパネルの内側面、および前記まちの内側面が室を画成し、
前記枕が、前記第１のパネル、前記第２のパネル、および前記まちのうちの１つに結合された通気口を備える、請求項１に記載の枕。
【請求項２８】
前記通気口は、空気が前記室から出ることを可能にするが、空気が前記室に入ることを防止するように構成された、請求項２７に記載の枕。
【請求項２９】
前記通気口は、空気が前記室に入ることを可能にするが、前記室から出ることを防止するように構成された、請求項２７に記載の枕。
【請求項３０】
第１のパネルと、
前記第１のパネルに対向する第２のパネルであって、前記第１および第２のパネルがそれぞれ第１の空隙率を有する、第２のパネルと、
前記第１および第２のパネルの周囲境界を画し、前記第１と第２のパネルを接合するまちであって、前記第１の空隙率よりも大きい第２の空隙率を有し、複数のポートを備え、前記ポートがそれぞれ、前記第２の空隙率よりも大きい第３の空隙率を有する、まちとを備え、
前記第１のパネル、前記第２のパネル、および前記まちが、室を画成する内側面を有するカバーを画成し、
前記第１のパネルと前記まちとの境界に、前記室への出入りを可能にするように開くように構成された留め具を備える、枕。
【請求項３１】
前記カバーの内側に配設された内側カバーをさらに備え、前記内側カバーの中に充填材料が配設される、請求項３０に記載の枕。
【請求項３２】
前記第１および第２のパネルの空隙を通って前記室に空気を入れ、前記まちの空隙、および前記ポートの空隙を通って前記室から空気を出すように構成された、請求項３０に記載の枕。
【請求項３３】
前記まちが、オープンセル構造で形成される、請求項３０に記載の枕。
【請求項３４】
前記まちが、オープンセル構造で形成され、前記オープンセル構造が、メッシュ構成を画成する糸によって形成され、前記糸が、ポリエステルを含み、前記糸の交点で連結されている、請求項３０に記載の枕。
【請求項３５】
第１のパネルと、
前記第１のパネルに対向する第２のパネルであって、前記第１および第２のパネルがそれぞれ第１の空隙率を有する、第２のパネルと、
前記第１および第２のパネルの周囲境界を画し、前記第１と第２のパネルを接合するまちであって、前記第１の空隙率よりも大きい第２の空隙率を有するオープンセル構造を備え、複数のポートを備え、前記ポートがそれぞれ、前記第２の空隙率よりも大きい第３の空隙率を有するメッシュ材料を備え、前記ポートが互いに離間しており、前記第１のパネル、前記第２のパネル、および前記まちが、室を画成する内側面を有するカバーを画成する、まちと、
前記室の内側に配設された内側カバーであって、前記内側カバーの中に充填材料が配設される、内側カバーとを備え、
前記第１のパネルと前記まちとの境界に、前記室への出入りを可能にするように構成されたジッパーを備え、
前記オープンセル構造が、メッシュ構成を画成する糸によって形成され、前記糸が、ポリエステルを含み、前記糸の交点で連結されており、
前記充填材料が、可撓性材料、ゲル、および形状記憶発泡体からなるグループから選択される、枕。
【請求項３６】
対向する第１と第２の側部間に延在する対向する第１および第２の端部を備える第１のパネルと、
前記第１のパネルに対向する第２のパネルであって、対向する第１と第２の側部間に延在する対向する第１および第２の端部を備え、前記第１のパネルの前記第１および第２の側部が、前記第２のパネルの前記第１および第２の側部に係合し、前記第１および第２のパネルがそれぞれ、第１の空隙率を有するベース材料を備える、第２のパネルと、
前記第１のパネルの前記第１の端部と、前記第２のパネルの前記第１の端部との間、および、前記第１のパネルの前記第２の端部と、前記第２のパネルの前記第２の端部との間に位置付けられて、前記第１と第２のパネルを接合するまちであって、前記第１の空隙率よりも大きい第２の空隙率を有するオープンセル構造を備え、複数のポートを備え、前記ポートがそれぞれ、前記第２の空隙率よりも大きい第３の空隙率を有するメッシュ材料を備え、前記ポートが互いに離間しており、前記第１のパネル、前記第２のパネル、および前記まちが、室を画成する内側面を有するカバーを画成する、まちと、
前記室の内側に配設された内側カバーであって、前記内側カバーの中に充填材料が配設される、内側カバーとを備え、
前記第１のパネルと前記まちとの境界に、前記室への出入りを可能にするように構成されたジッパーを備え、
前記オープンセル構造が、メッシュ構成を画成する糸によって形成され、前記糸が、ポリエステルを含み、前記糸の交点で連結されており、
前記充填材料が、可撓性材料、ゲル、および形状記憶発泡体からなるグループから選択され、
前記第１および第２のパネルがそれぞれ、前記第１の空隙率、前記第２の空隙率、および前記第３の空隙率とは異なる第４の空隙率を有する入口を備える、枕。
【発明の詳細な説明】
【技術分野】
【０００１】
[0001]  本開示は、全般的には寝具に関し、より詳細には枕を通る適切な空気流をもたらすように構成された枕に関する。
【背景技術】
【０００２】
[0002]  睡眠は、人々の生活のあらゆる側面において、人々が最善の体調で最善を尽くすために不可欠なものである。睡眠は、健康状態を良くし、自身の目標に到達するための重要な経路である。実際、睡眠は、新たな情報を記憶に留める能力から体重増加に至るまで、あらゆることに影響を及ぼす。したがって、安眠を実現するために快適な寝具を使用することが、人々にとって重要である。
【発明の概要】
【発明が解決しようとする課題】
【０００３】
[0003]  人々は、かなりの熱量を頭部から逃す。したがって、人が頭部を枕に載せると、枕の就寝面に熱が蓄積する。枕は、例えば通気性のある布で作られた枕など、枕の内部を通る空気流をもたらすように開発されてきた。しかし、これらの枕では、熱を枕の就寝面から充分に遠ざけること、および睡眠を妨げないやり方で熱を分散させることができない。本開示では、これらの先行技術の改善策を記載する。
【課題を解決するための手段】
【０００４】
[0004]  本開示の原理による一実施形態では、枕を通る適切な空気流を提供するように構成された枕が提供される。枕は、周囲を画成する縁部を有する第１のパネルを備える。第２のパネルは、周囲を画成する縁部を有する。まちは、第１と第２のパネルを接合する。まちは、第１の空隙率を有する。まちは、複数のポートを含む。ポートはそれぞれ、第１の空隙率よりも大きい第２の空隙率を有する。
【０００５】
[0005]  本開示の原理による一実施形態では、枕は、第１のパネル、および第１のパネルに対向する第２のパネルを備える。第１および第２のパネルは、それぞれ第１の空隙率を有する。まちは、第１および第２のパネルの周囲境界を画し、それらのパネルを接合する。まちは、第１の空隙率よりも大きい第２の空隙率を有する。まちは、複数のポートを備える。ポートはそれぞれ、第２の空隙率よりも大きい第３の空隙率を有する。第１のパネル、第２のパネル、およびまちは、室を画成する内側面を有するカバーを画成する。第１のパネルとまちとの境界に、室への出入りを可能にするように開くように構成された留め具を備える。
【０００６】
[0006]  本開示の原理による一実施形態では、枕は、第１のパネルと、第１のパネルに対向する第２のパネルを備える。第１および第２のパネルは、それぞれ第１の空隙率を有する。まちは、第１および第２のパネルの周囲境界を画し、それらのパネルを接合する。まちは、第１の空隙率よりも大きい第２の空隙率を有するオープンセル構造を備える。まちは、複数のポートを備える。ポートはそれぞれ、第２の空隙率よりも大きい第３の空隙率を有するメッシュ材料を備える。ポートは互いに離間している。第１のパネル、第２のパネル、およびまちは、室を画成する内側面を有するカバーを画成する。内側カバーは室の中に配設される。内側カバーの中に充填材料が配設される。第１のパネルとまちとの境界に、室への出入りを可能にするように構成されたジッパーを備える。オープンセル構造は、メッシュ構成を画成する糸によって形成される。糸は、ポリエステルを含み、糸の交点で連結されている。充填材料は、可撓性材料、ゲル、および形状記憶発泡体から成るグループから選択される。
【０００７】
[0007]  本開示の原理による一実施形態では、枕は、対向する第１と第２の側部間に延在する対向する第１および第２の端部を備える第１のパネルを備える。枕は、第１のパネルに対向する第２のパネルを含む。第２のパネルは、対向する第１と第２の側部間に延在する対向する第１および第２の端部を備える。第１のパネルの第１および第２の側部は、第２のパネルの第１および第２の側部に係合する。第１および第２のパネルはそれぞれ、第１の空隙率を有するベース材料を備える。まちは、第１のパネルの第１の端部と、第２のパネルの第１の端部との間、および、第１のパネルの第２の端部と、第２のパネルの第２の端部との間に位置付けられて、第１と第２のパネルを接合する。まちは、第１の空隙率よりも大きい第２の空隙率を有するオープンセル構造を備える。まちは、複数のポートを備える。ポートはそれぞれ、第２の空隙率よりも大きい第３の空隙率を有するメッシュ材料を備える。ポートは互いに離間している。第１のパネル、第２のパネル、およびまちは、室を画成する内側面を有するカバーを画成する。内側カバーは、室の内側に配設される。内側カバーの中に充填材料が配設される。第１のパネルとまちとの境界に、室への出入りを可能にするように構成されたジッパーを備える。オープンセル構造は、メッシュ構成を画成する糸によって形成される。糸は、ポリエステルを含み、糸の交点で連結されている。充填材料は、可撓性材料、ゲル、および形状記憶発泡体から成るグループから選択される。第１および第２のパネルはそれぞれ、第１の空隙率、第２の空隙率、および第３の空隙率とは異なる第４の空隙率を有する入口を備える。
【０００８】
[0008]  本開示は、以下の図面が添付された具体的な記述から、より容易に明らかになろう。
【図面の簡単な説明】
【０００９】
【図１】[0009]本開示の原理による枕の一実施形態の斜視図である。
【図１Ａ】[0010]図１に示される枕の斜視図である。
【図２】[0011]図１に示される枕の斜視図である。
【図２Ａ】[0012]図１に示される枕の斜視図である。
【図３】[0013]図１に示される枕の斜視図である。
【図４】[0014]本開示の原理による、図１に示される枕の一実施形態の斜視図である。
【図４Ａ】[0015]本開示の原理による、図１に示される枕の一実施形態の斜視図である。
【図５】[0016]本開示の原理による、図１に示される枕の構成要素の一実施形態の側面図である。
【図６】[0017]本開示の原理による、図１に示される枕の構成要素の一実施形態の側面図である。
【図７】[0018]本開示の原理による、図１に示される枕の構成要素の一実施形態の側面図である。
【図８】[0019]本開示の原理による、図１に示される枕の一実施形態の斜視図である。
【図９】[0020]本開示の原理による、図１に示される枕の構成要素の一実施形態の側面図である。
【図１０】[0021]本開示の原理による、図１に示される枕の一実施形態の側面図である。
【図１１】[0022]本開示の原理による、図１に示される枕の一実施形態の構成要素の側方断面図である。
【図１２】[0023]本開示の原理による、図１に示される枕の一実施形態の構成要素の側方断面図である。
【図１２Ａ】[0024]本開示の原理による、図１に示される枕の一実施形態の構成要素の側方断面図である。
【図１２Ｂ】[0025]図１２Ａに示される枕の側方断面図である。
【図１３】[0026]本開示の原理による、図１に示される枕の一実施形態の上方断面図である。
【図１４】[0027]図１３に示される枕の上方断面図である。
【図１５】[0028]本開示の原理による、図１に示される枕の一実施形態の上方断面図である。
【図１６】[0029]本開示の原理による、図１に示される枕の一実施形態の構成要素の側面図である。
【図１７】[0030]本開示の原理による、図１に示される枕の一実施形態の斜視図である。
【図１８】[0031]図１７に示される枕の斜視図である。
【図１９】[0032]本開示の原理による、図１に示される枕の一実施形態の斜視図である。
【図２０】[0033]図１９に示される枕の斜視図である。
【発明を実施するための形態】
【００１０】
[0034]  図面全体を通して、同じ参照符号は同様の部分を示す。
【００１１】
[0035]  本開示は、本開示の一部を形成する添付図面と併せて本開示の以下の詳細な記述を参照することにより、より容易に理解することができる。本開示は、本明細書に記述されるおよび／または示される具体的な装置、条件、またはパラメータに限定されないこと、ならびに、本明細書で使用する用語は、特定の実施形態を例として記述することを目的としており、特許請求される本開示を限定することを意図していないことが、理解されるべきである。
【００１２】
[0036]  また、本明細書において使用されるとき、および添付の特許請求の範囲も含めて、文中に別段の明確な記載がない限り、単数形「ａ」「ａｎ」および「ｔｈｅ」は複数を含み、特定の数値の参照は、少なくともその特定の値を含む。本明細書において、範囲は、「約」もしくは「およそ」１つの特定の値から、および／または、「約」もしくは「およそ」別の特定の値まで、として表され得る。そのような範囲が表される場合には、別の実施形態は、その１つの特定の値から、および／または、その別の特定の値までを含む。同様に、前置詞「約」を使用することによって値が近似として表される場合には、その特定の値が別の実施形態を形成することが理解される。すべての空間的な参照、例えば、水平、垂直、上部、上方、下方、下部、左、および右などは、単に例示を目的としており、本開示の範囲内で変化し得ることが理解されるべきである。例えば、「上方」および「下方」という参照は相対的であり、他方に対する文脈でのみ使用され、必ずしも「上位」および「下位」ではない。
【００１３】
[0037]  以下の検討は、本開示の原理による枕の記述を含む。代替的な実施形態も開示される。添付図面に示される本開示の例示的な実施形態をここで詳細に参照する。図１〜図２０を見ると、枕３０の構成要素が示されている。
【００１４】
[0038]  枕３０は、端面３４および対向する端面３６を備えるパネル３２を含む。面３４、３６は、対向する側面３８、４０間に延在する。面３４、３６、３８、および４０は、パネル３２の周囲を画成するパネル３２の縁部である。枕３０は、パネル３２に対向するパネル３２Ａを含む。パネル３２Ａは、端面３４Ａおよび対向する端面３６Ａを備える。面３４Ａ、３６Ａは、対向する側面３８Ａ、４０Ａ間に延在する。面３４Ａ、３６Ａ、３８Ａ、および４０Ａは、パネル３２Ａの周囲を画成するパネル３２Ａの縁部である。いくつかの実施形態では、パネル３２、３２Ａは、それぞれ矩形または実質的に矩形の占有面積を有する。いくつかの実施形態では、パネル３２および／またはパネル３２Ａは、例えば、楕円形状、長円形状、三角形状、矩形状、正方形状、多角形状、または不規則な形状などの様々な断面構成または占有面積を有してもよい。
【００１５】
[0039]  いくつかの実施形態では、パネル３２、３２Ａはそれぞれ、例えば布などの単一の材料層を含む。いくつかの実施形態では、パネル３２、３２Ａはそれぞれ、例えば布などの複数の材料層を含む。いくつかの実施形態では、パネル３２、３２Ａはそれぞれ、湿気分散材料を備える。いくつかの実施形態では、パネル３２、３２Ａはそれぞれ、例えば通気性のある布などの通気性のある材料を備える。いくつかの実施形態では、パネル３２、３２Ａはそれぞれ、１００％ポリエステル布、レーヨン、ナイロン、またはスパンデックス混紡布から成るグループから選択される材料を備える。ゲルなどの冷却材料が、パネル３２および／またはパネル３２Ａの内側に付着されてもよい。冷却材料は、層状および付着される形に形成されたシリコンまたはポリエーテルゲル、ならびに成形セラミック、ネオプレン、ならびに熱伝達および温度調節機能を実行するために使用する他の材料技術であってもよい。冷却材料の性質および安定性に応じて、冷却材料は、パネル３２および／またはパネル３２Ａの内部に付着されても外部に付着されてもよい。
【００１６】
[0040]  いくつかの実施形態では、パネル３２、３２Ａはそれぞれ、多孔性のベース材料を備え、空隙率を有する。いくつかの実施形態では、パネル３２、３２Ａはそれぞれ、例えばパネル３２、３２Ａのそれぞれを構成する布などのベース材料の繊維または糸によって画成される空隙を備える。すなわち、パネル３２、３２Ａの空隙は、パネル３２、３２Ａを構成するベース材料の繊維または糸の間の空間である。いくつかの実施形態では、パネル３２、３２Ａはそれぞれ、入口または孔３５を有するベース材料を備え、入口または孔３５は、図４に示されるように、例えばパネル３２、３２Ａのそれぞれを構成する布などのベース材料の繊維または糸を通って延在している。すなわち、繊維の少なくとも１つが、孔３５の１つによって分離された２つの別の部分を有するように、孔３５がベース材料の繊維または糸を分離している。いくつかの実施形態では、孔３５は空隙よりも大きい。いくつかの実施形態では、空隙は、ベース材料の繊維または糸の配置により決定されるランダムな構成（サイズ、形状、および／または間隔）を有しており、孔３５は、例えば均一なサイズ、形状、および／または間隔などの均一な構成を有するようにベース材料内に形成される。いくつかの実施形態では、孔３５は、例えば楕円形状、長円形状、三角形状、正方形状、多角形状、不規則な形状、均一な形状、不均一な形状、ずれた形状、千鳥状、波状、アーチ状、可変の、および／または先細の形状など、様々に形状設定される。
【００１７】
[0041]  いくつかの実施形態では、パネル３２、３２Ａはそれぞれステッチ４２を含み、ステッチ４２は、パネル３２、３２Ａのステッチ部の輪郭を低くして布構造体の高低差をもたらし、それにより輪郭に凹凸ができ、その凹凸が、パネル３２、３２Ａの少なくとも一方の外側面内の、その外側面の周りの、およびその外側面を通る空気循環、およびパネル３２、３２Ａの少なくとも一方の外側面と、睡眠者との間の空気循環を増加させる。いくつかの実施形態では、ステッチ４２は、パネル３２、３２Ａの少なくとも一方にステッチされる、刺繍される、またはステンシルによって付けられる。いくつかの実施形態では、ステッチ４２は、それぞれが幾何学模様を有する複数の列を備える。いくつかの実施形態では、それぞれの列の幾何学模様の特徴部が、隣接する列の幾何学模様の同じ特徴部と同軸にならないように、複数の列が互い違いになっている。いくつかの実施形態では、睡眠者の肌に対する構造体の肌触り／摩擦を減らし、パネルの柔軟性を最大化して睡眠者の身体の湾曲に適応し、より大きな枕の表面内で形状が一致するように、パネル３２、３２Ａはそれぞれステッチのない領域を含み、それにより、その領域は、凹凸のない滑らかなまたは平らな外側面を有する。いくつかの実施形態では、パネル３２、３２Ａのステッチのない領域は、それぞれ面３４、３６、３８、および４０間で等距離に、および面３４Ａ、３６Ａ、３８Ａ、および４０Ａ間で等距離に位置付けられる。いくつかの実施形態では、例えば図３に示されるように、パネル３２、３２Ａには、それぞれステッチ４２がない。いくつかの実施形態では、ステッチ４２は、１つまたは複数の文字またはデザインを形成することができる。例えば、ステッチ４２は、例えば社名または枕３０の特徴などの１つまたは複数の単語を形成するように一連の文字を形成してもよい。また、ステッチ４２は、例えば製造者のロゴなどのデザインまたはロゴを形成してもよい。
【００１８】
[0042]  枕３０は、パネル３２をパネル３２Ａに接合するまち４４を含む。まち４４は、面または縁部４６、および面４６に対向する面または縁部４８を備える。いくつかの実施形態では、まち４４が、例えば図１〜図３に示されるようにパネル３２、３２Ａの周囲境界を画し、それらのパネルを接合するように、面４６は、面３４、３６、３８、４０に係合し、面４８は、面３４Ａ、３６Ａ、３８Ａ、４０Ａに係合する。すなわち、面４６と、面３４、３６、３８、４０との間に隙間がないように、面４６は連続的に面３４、３６、３８、４０に係合し、面４８と、面３４Ａ、３６Ａ、３８Ａ、４０Ａとの間に隙間がないように、面４８は連続的に面３４Ａ、３６Ａ、３８Ａ、４０Ａに係合する。まち４４は、パネル３２をパネル３２Ａから分離し、例えばパネル３２、３２Ａの少なくとも一方を通って枕３０の内部または空洞６２に入る空気が、まち４４を通って空洞６２から出ることを可能にする。
【００１９】
[0043]  いくつかの実施形態では、まち４４は、連続した帯である。いくつかの実施形態では、まち４４は、面３８、３８Ａ間の長手方向部分４４Ａ、および面４０、４０Ａ間の長手方向部分４４Ｂを備える。部分４４Ａは、部分４４Ｂに対向して位置付けられる。いくつかの実施形態では、まち４４は、面３６、３６Ａ間の横方向部分４４Ｃ、および面３４、３４Ａ間の長手方向部分４４Ｄを備える。部分４４Ｃは、部分４４Ｄに対向して位置付けられる。いくつかの実施形態では、例えば、部分４４Ａ〜４４Ｄはそれぞれ互いに分離しており、縫い付けにより互いに連結される。いくつかの実施形態では、部分４４Ａ〜４４Ｄは連続している。
【００２０】
[0044]  いくつかの実施形態では、図１および図４に示されるように、まち４４はレタリング４５を含む。いくつかの実施形態では、レタリング４５は、まち４４に印刷される、ステッチされる、刺繍される、またはステンシルによって付けられる。いくつかの実施形態では、まち４４は編み模様から形成され、レタリング４５はその編み模様の一部である。いくつかの実施形態では、まち４４は、外側面を有する編み模様から形成され、レタリング４５は、編み模様の外側面と同一平面にある。いくつかの実施形態では、レタリング４５は、１つまたは複数の文字もしくはデザインを形成することができる。例えば、レタリング４５は、例えば枕の型式または製品名、枕３０の社名または製造者名、枕３０の特徴などの１つまたは複数の単語を形成する一文字または複数の文字とすることができる。レタリング４５によって使用者に伝えられ得る枕３０の特徴は、例えば、枕３０のデザインが対象とする睡眠者のタイプ（例えば、横向きに眠る人、仰向けに眠る人、うつ伏せに眠る人）、枕３０の型式または製品名、枕３０に使用される充填材料または他の材料のタイプなどを含む。レタリング４５が、例えば個人名またはニックネーム、スポーツチームまたは他のグループの名称、スローガンまたはフレーズなどの他の表示を含み得ることが考えられる。また、レタリング４５は、例えば製造者のロゴなどのデザインまたはロゴを形成してもよい。
【００２１】
[0045]  いくつかの実施形態では、面４６を、面３４、３６、３８、４０と接合する、および／または、面４８を、面３４Ａ、３６Ａ、３８Ａ、４０Ａと接合するために、例えばパイピング５５などの補強材料が使用される。いくつかの実施形態では、パイピング５５は、例えば、面３４、３６、３８、４０と面４６との間、および／または面３４Ａ、３６Ａ、３８Ａ、４０Ａと面４８との間に挿入されて枕３０の縁部を画成する折り畳まれた布などの細長い布である。いくつかの実施形態では、パイピング５５は、まち４４およびパネル３２、３２Ａが作られている材料とは異なる材料を備える。いくつかの実施形態では、パイピング５５は、まち４４およびパネル３２、３２Ａが作られている材料よりも固く、および／または柔軟性が低い材料を備える。いくつかの実施形態では、パイピング５５は、非多孔性の材料を備える。
【００２２】
[0046]  いくつかの実施形態では、まち４４は、パネル３２、３２Ａが作られている材料とは異なる材料を備える。いくつかの実施形態では、まち４４は、例えば通気性のある布などの通気性のある材料を備える。いくつかの実施形態では、まち４４は、伸縮性および／または弾性のある材料を備える。いくつかの実施形態では、まち４４は、ポリエステル、スパンデックス、ポリエステル／スパンデックス混紡、１００％ポリエステルニット、１００％天然の布、弾性繊維または防水布と混紡された天然の布を備える。図５に示されるように、いくつかの実施形態では、例えばまち４４は、例えばパネル３２、３２Ａのそれぞれの空隙率よりも実質的に大きい（例えば、少なくとも２倍）の空隙率を有する布などの多孔性の材料シートである。いくつかの実施形態では、まち４４は多孔性であり、パネル３２、３２Ａのそれぞれの空隙率よりも大きい空隙率を有する。いくつかの実施形態では、まち４４の空隙は、パネル３２、３２Ａのそれぞれの空隙率よりも大きい空隙率をまちに与えるように、例えばまち４４を構成する布などの材料の繊維または糸によって画成される。すなわち、まち４４の空隙は、まち４４を形成する材料の繊維または糸の間の空間によって画成される。
【００２３】
[0047]  いくつかの実施形態では、まち４４は、例えば図６に示されるように空隙６０を備える。いくつかの実施形態では、空隙６０は、パネル３２、３２Ａのそれぞれの空隙率よりも大きい空隙率をまちに与えるように、例えばまち４４を構成する布などの材料に切開される、または他のやり方で形成される。いくつかの実施形態では、まち４４は、パネル３２、３２Ａのそれぞれの空隙率よりも大きい空隙率をまち４４に与えるように製造工程中にまち４４に切開された、または打ち抜かれた空隙６０を有する多孔性の材料を備える。いくつかの実施形態では、空隙６０は、まち４４を形成する材料を構成する繊維または糸を通って延在している。すなわち、空隙６０はそれぞれ、まち４４を形成する材料を構成する繊維の少なくとも１つを、空隙６０のうちの１つによって分離された２つの別の部分に分離する。一実施形態では、パネル３２、３２Ａはそれぞれ、例えばパネル３２、３２Ａのそれぞれを構成する布などの材料の繊維または糸により画成される空隙によってもたらされる空隙率を有し、空隙６０は、パネル３２、３２Ａのそれぞれの空隙率よりも大きい空隙率をまち４４に与えるものである。いくつかの実施形態では、空隙６０は、例えば楕円形状、長円形状、三角形状、矩形状、正方形状、多角形状、不規則な形状、均一な形状、不均一な形状、可変の形状、管状、および／または先細の形状など、様々な断面構成を有してもよい。いくつかの実施形態では、空隙６０は、まち４４に沿って均一に分散している。いくつかの実施形態では、空隙６０は、互いに均一に離間している。いくつかの実施形態では、空隙６０は、まち４４に沿ってランダムに分散している。
【００２４】
[0048]  一実施形態では、まち４４およびパネル３２、３２Ａはそれぞれ、パネル３２、３２Ａのそれぞれの空隙率よりも大きい空隙率をまち４４に与えるように製造工程中にそこに切開された、または打ち抜かれた空隙を有する非多孔性の材料を備える。一実施形態では、まち４４およびパネル３２、３２Ａはそれぞれ同じ材料を備えるが、まち４４は、まち４４およびパネル３２、３２Ａの製造工程中にまち４４に切開された、または打ち抜かれた空隙６０があることから、パネル３２、３２Ａのそれぞれの空隙率よりも大きい空隙率を有する。いくつかの実施形態では、まち４４はオープンセル構造を有する。いくつかの実施形態では、まち４４のオープンセル構造は、まち４４が作られている材料の空隙率、および／または製造工程中に材料に形成された空隙によってもたらされる。
【００２５】
[0049]  図７に示されるように、一実施形態では、まち４４は、ランダムに、または例えば矩形模様などの様々な模様に配置された複数の織り交ぜた、または離間した糸５６を備える。糸５６は、例えばポリエステルを含む様々な材料から作られてもよく、弾性であって非弾性であってもよい。糸５６は、それらの間にオープンセル５８が画成されるように配置される。糸５６は、例えば融解、ステッチ、結ぶことによって、留め具によってなど、交点で連結されてもよく、または接触する糸５６間の自由な動きを可能にするように連結されなくてもよい。連結される場合、糸５６は弾性のある材料から形成されてもよい。いくつかの実施形態では、糸５６は、内部または空洞６２の方向に向かって３次元構造を画成するように複数の層に配設されてもよい。
【００２６】
[0050]  まち４４およびパネル３２、３２Ａはカバーを画成する。まち４４の内側面５０およびパネル３２、３２Ａの内側面は、例えば図８に示されるように空洞６２を画成する。空洞６２は、例えば図９に示されるように充填材料６４を配設するように構成される。いくつかの実施形態では、充填材料６４は、可撓性材料を備える。いくつかの実施形態では、充填材料６４は非可撓性材料を備える。いくつかの実施形態では、充填材料６４は、ポリエステル繊維、ウール、カポック、ラテックス、発泡体、形状記憶発泡体、羽毛、ゲル、形状記憶発泡体、および／またはこれらの組み合わせ、もしくは混合物を備える。いくつかの実施形態では、充填材料６４は、図９に示されるように単一の発泡体片を備える。いくつかの実施形態では、充填材料６４の上面は、充填材料６４の側面間で凸状に湾曲しており、充填材料６４のいずれの側面の充填材料６４の部分よりも、充填材料６４の中央部分が高くなっている。この構成により、充填材料６４が空洞６２内に位置付けられたとき、外方に曲がった形状を枕３０にもたらす弓状の輪郭が充填材料６４に与えられる。
【００２７】
[0051]  いくつかの実施形態では、充填材料６４は、空洞６２の１つの膨張していない体積よりも大きい非圧縮の体積を有する。パネル３２、３２Ａ、およびまち４４が作られている材料、ならびに充填材料６４と空洞６２との相対体積に起因して、充填材料６４が空洞６２に位置付けられると、空洞６２が膨張する。空洞６２が膨張すると、空洞６２および／または枕３０は、充填材料６４の全体形状を呈する。パネル３２、３２Ａ、およびまち４４が作られている材料、ならびに充填材料６４と空洞６２との相対体積に起因して、空洞６２は、枕３０が充填材料６４とほぼ同じ形状を有するように、充填材料６４の外寸と一致するように適合する。いくつかの実施形態では、枕３０は、パネル３２、３２Ａと充填材料６４との間、および／または、まち４４と充填材料６４との間に、少なくともいくらかの空気を含む。いくつかの実施形態では、パネル３２、３２Ａは、パネル３２、３２Ａと充填材料６４との間に空気が存在しないように充填材料６４に係合し、まち４４は、まち４４と充填材料６４との間に空気が存在しないように充填材料６４に係合する。いくつかの実施形態では、充填材料６４は多孔性であり、それにより空洞６２内の空気が充填材料６４の空隙の中に捕捉される。充填材料６４の空隙の中に捕捉された空気は、パネル３２、３２Ａ、まち４４、および／またはポート５２を通って枕３０から出ることができる。
【００２８】
[0052]  いくつかの実施形態では、枕３０は、例えば図１０に示されるように、空洞６２内に位置付けられた内側カバー６６を備える。カバー６６は、充填材料６４を配設するように構成された室６６Ａを画成する内側面を備え、それによりパネル３２、３２Ａ、およびまち４４の内側面から充填材料６４が離間される。すなわち、カバー６６の室の中に充填材料６４を位置付けることによって、充填材料６４がパネル３２、３２Ａ、またはまち４４に接触することが防止される。いくつかの実施形態では、カバー６６は袋である。いくつかの実施形態では、カバー６６は、充填材料６４をカバー６２の室の中に保持するための、例えばジッパーなどの留め具を備える。
【００２９】
[0053]  いくつかの実施形態では、枕３０は、空洞６２への出入りを可能にするために、パネル３２とまち４４の間、および／またはパネル３２Ａとまち４４との間に、例えばジッパー６８などの留め具を備える。ジッパー６８は、第１の列の歯６８Ａ、および歯６８Ａとかみ合う第２の列の歯６８Ｂを含み、それにより、ジッパー６８は、歯６８Ａが歯６８Ｂとかみ合う閉構成と、例えば図１０に示される歯６８Ａが歯６８Ｂから離間している開構成との間で移動可能になる。いくつかの実施形態では、歯６８Ａは面３８に位置付けられ、歯６８Ｂは面４６に位置付けられる。いくつかの実施形態では、歯６８Ａは面３８Ａに位置付けられ、歯６８Ｂは面４８に位置付けられる。いくつかの実施形態では、歯６８Ａは面４０に位置付けられ、歯６８Ｂは面４６に位置付けられる。いくつかの実施形態では、歯６８Ａは面４０Ａに位置付けられ、歯６８Ｂは面４８に位置付けられる。いくつかの実施形態では、歯６８Ａは面３４に位置付けられ、歯６８Ｂは面４６に位置付けられる。いくつかの実施形態では、歯６８Ａは面３４Ａに位置付けられ、歯６８Ｂは面４８に位置付けられる。いくつかの実施形態では、歯６８Ａは面３６に位置付けられ、歯６８Ｂは面４６に位置付けられる。いくつかの実施形態では、歯３６Ａは面４０Ａに位置付けられ、歯６８Ｂは面４８に位置付けられる。充填材料６４および／またはカバー６６は、ジッパー６８が開構成のときに空洞６２内に位置付けることができる。次いで、ジッパー６８が開位置から閉位置に移動されて、充填材料６４および／またはカバー６６が空洞６２内に保持される。
【００３０】
[0054]  まち４４は、その中に少なくとも１つのポート５２を備え、ポート５２は、まち４４の面５０と外側面５４を通ってそれらの間に延在しており、それにより、ポート５２はそれぞれ空洞６２と連通して、空気がポート５２を通って空洞６２に出入りすることを可能にする。ポート５２はそれぞれ、空洞６２に入る空気がポート５２のうちの１つまたは複数を通って空洞６２から出ることができるように、まち４４の空隙率よりも大きい空隙率を有する。同様に、周囲空気は、ポート５２を通って空洞６２に入ることができる。したがって、ポート５２は、空洞６２の内外で空気の入れ換えを可能にする。いくつかの実施形態では、ポート５２は、まち４４だけで可能な量よりも多くの量の空気が、空洞６２に流入および流出することを可能にする。すなわち、空洞６２に出入りする空気流の量は、ポート５２を含まない枕３０の領域と比べてポート５２を含む枕３０の領域で増加する。この構成は、例えば使用者が枕３０上で横になっているとき使用者の頭部からの熱に起因して温度が上昇した空気が、パネル３２、３２Ａ、および／またはまちを通って移動することを可能にし、それにより、熱せられた空気が空洞６２に入る。空洞６２内に捕捉されたままで、枕３０の温度を上昇させるのではなく、熱せられた空気は、主にポート５２を通って空洞６２から出て行く。いくつかの実施形態では、少なくともいくらかの残りの熱せられた空気は、まち４４および／またはポート５２の空隙を通って空洞６２から出ることができる。これにより、枕３０の就寝面（例えば、パネル３２、またはパネル３２Ａの外側面）から熱せられた空気を取り除き、熱せられた空気を、空洞６２を通ってポート５２から外へ出す。重要なことには、ポート５２は就寝面から離れて位置付けられているので、熱せられた空気がポート５２を通って換気された後には、熱せられた空気が就寝面に影響を及ぼすことはない。
【００３１】
[0055]  いくつかの実施形態では、まち４４は、複数の離間したポート５２を備える。いくつかの実施形態では、ポート５２は、互いに均等に、または均一に離間している。いくつかの実施形態では、ポート５２はステッチによって形成される。いくつかの実施形態では、まち４４の一部分は、ポート５２の１つを画成するように切り取られてもよい。いくつかの実施形態では、例えばまち４４に強度を与えるために、および／または、まち４４がポート５２において裂ける、もしくは破れることを防止するために、ポート５２はステッチによって補強される。いくつかの実施形態では、まち４４は、部分４４Ａ〜４４Ｄのそれぞれに沿って離間したポート５２を含む。いくつかの実施形態では、部分４４Ａ〜４４Ｄの少なくとも１つは、ポート５２を全く含まない。いくつかの実施形態では、部分４４Ｃ、４４Ｄはポート５２を含み、部分４４Ａ、４４Ｂは全くポートを含まず、部分４４Ａ、４４Ｂに比べて、部分４４Ｃ、４４Ｄを通る空気流の量を増加させる。いくつかの実施形態では、部分４４Ｃ、４４Ｄのうちの一方はポート５２を含み、部分４４Ａ、４４Ｂ、および部分４４Ｃまたは部分４４Ｄのうちの他方は、ポート５２を全く含まず、部分４４Ａ、４４Ｂ、および部分４４Ｃまたは部分４４Ｄのうちの他方に比べて、部分４４Ｃまたは４４Ｄのうちの一方を通る空気流の量を増加させる。いくつかの実施形態では、部分４４Ａ、４４Ｂはポート５２を含み、部分４４Ｃ、４４Ｄはポート５２を全く含まず、部分４４Ｃ、４４Ｄに比べて、部分４４Ａ、４４Ｂを通る空気流の量を増加させる。いくつかの実施形態では、部分４４Ａ、４４Ｂのうちの一方はポート５２を含み、部分４４Ｃ、４４Ｄ、および部分４４Ａ、４４Ｂのうちの他方は、ポート５２を全く含まず、部分４４Ｃ、４４Ｄ、および部分４４Ａ、４４Ｂのうちの他方に比べて、部分４４Ａ、４４Ｂの一方を通る空気流の量を増加させる。
【００３２】
[0056]  いくつかの実施形態では、ポート５２は、枕３０の選択された位置で空洞６２に出入りする空気流を増加させるように、まち４４に沿って選択的に位置付けられる。例えば、ポート５２は、上記で検討されたように、部分４４Ａ〜４４Ｄのそれぞれに含まれてもよい。しかし、部分４４Ａ〜４４Ｄの少なくとも１つは、部分４４Ａ〜４４Ｄの別の部分よりも多くのポート５２を有して、まち４４の残りの部分に比べて、より多くのポート５２を有する部分において空洞６２に出入りする空気流を増加させてもよい。すなわち、部分４４Ａ〜４４Ｄのうちの１つに、より高い密度でポート５２を設けることによって、空洞６２に出入りする空気流を、まち４４の残りの部分よりも増加させることになる。
【００３３】
[0057]  枕３０は、面３４、３６、３８、４０、または面３４Ａ、３６Ａ、３８Ａ、４０Ａに平行に延在する１列のポート５２を有するものとして示されるが、いくつかの実施形態では、枕３０は、枕３０の面３４、３６、３８、４０、または面３４Ａ、３６Ａ、３８Ａ、４０Ａにそれぞれ平行に延在する２列以上のポート５２を含んでもよい。いくつかの実施形態では、部分４４Ａ〜４４Ｄのうちの少なくとも１つは、面３４、３６、３８、４０、または面３４Ａ、３６Ａ、３８Ａ、４０Ａに平行に延在する１列のポート５２を含み、部分のうちの少なくとも１つは、枕３０の面３４、３６、３８、４０、または面３４Ａ、３６Ａ、３８Ａ、４０Ａにそれぞれ平行に延在する２列以上のポート５２を含む。各列は、少なくとも１つのポート５２を含む。したがって、この構成により、まち４４の別の部分と比べてまち４４の１つの部分においてポート５２の密度を高くする１つの手段が提供される。同様に、ポート５２は、面３４、３６、３８、４０と、面３４Ａ、３６Ａ、３８Ａ、４０Ａとの間で等距離に位置付けられるものとして示されるが、いくつかの実施形態では、ポート５２の少なくとも１つが、面３４Ａ、３６Ａ、３８Ａ、４０Ａよりも、面３４、３６、３８、４０の近くに位置付けられる。いくつかの実施形態では、ポート５２の少なくとも１つが、面３４、３６、３８、４０よりも、面３４Ａ、３６Ａ、３８Ａ、４０Ａの近くに位置付けられる。いくつかの実施形態では、ポート５２の少なくとも１つが、面３４Ａ、３６Ａ、３８Ａ、４０Ａよりも、面３４、３６、３８、４０の近くに位置付けられ、ポート５２の少なくとも１つが、面３４、３６、３８、４０よりも、面３４Ａ、３６Ａ、３８Ａ、４０Ａの近くに位置付けられる。
【００３４】
[0058]  ポート５２はそれぞれ、上記で検討されたように、まち４４の空隙率よりも大きい空隙率を有する。いくつかの実施形態では、ポート５２はそれぞれ、まち４４のオープンセル構造よりも大きいオープンセル構造を有し、それにより、ポート５２の１つと同じ大きさを有するまち４４の一部分を通過する空気よりも多くの量の空気が、ポート５２のそれぞれを通過することができる。いくつかの実施形態では、ポート５２は、まち４４の空隙率よりも大きい空隙率をポート５２に与えるように材料をなくすことによって画成されるまち４４の穴である。いくつかの実施形態では、ポート５２はそれぞれ、まち４４の空隙率よりも大きい空隙率をポート５２に与えるための例えば可塑性または弾性などの、例えば金属、または非金属のメッシュ材料などのメッシュ材料を備える。いくつかの実施形態では、ポート５２はそれぞれ、まち４４の空隙率よりも大きい空隙率をポート５２に与えるための例えば通気性のある布などの通気性のある材料を備える。いくつかの実施形態では、ポート５２はそれぞれ、例えば図１〜図３に示される円形構成などのアーチ状の構成を有する。いくつかの実施形態では、ポート５２はそれぞれ、例えば図４Ａに示される六角形構成などの多角形構成を有する。いくつかの実施形態では、ポート５２は、例えば、楕円形状、長円形状、三角形状、矩形状、正方形状、多角形状、不規則な形状、均一な形状、不均一な形状、可変の形状、管状、および／または先細の形状など様々な断面構成を有してもよい。
【００３５】
[0059]  いくつかの実施形態では、まち４４は、例えば図１１に示されるように、面５０に係合しポート５２のうちの少なくとも１つの少なくとも一部分と重なるフィルタ７０を含む。フィルタ７０は、埃、花粉、かび、バクテリア、および汚染物質をその中に捕捉するように構成された多孔性および／またはメッシュの材料を備え、そのような埃、花粉、かび、バクテリア、および汚染物質がポート５２を通って空洞６２に入るのを防止する。いくつかの実施形態では、枕３０は、ポート５２の少なくとも１つにそれぞれ完全に重なる複数のフィルタ７０を備える。いくつかの実施形態では、フィルタ７０は、ポート５２の少なくとも１つに完全に重なる１枚のシートまたは１片の材料である。いくつかの実施形態では、フィルタ７０は、まち４４の空隙率よりも大きい空隙率を有する。いくつかの実施形態では、フィルタ７０は、ポート５２の空隙率よりも大きい空隙率を有するが、ポート５２と組み合わされると、ポート５２はそれぞれ、フィルタ７０がポート５２のそれぞれに完全に重なる状態で、まち４４の空隙率よりも大きい空隙率を有する。いくつかの実施形態では、フィルタ７０は、ポート５２の空隙率よりも小さい空隙率を有するが、ポート５２と組み合わされると、ポート５２はそれぞれ、フィルタ７０がポート５２のそれぞれに完全に重なる状態で、まち４４の空隙率よりも大きい空隙率を有する。
【００３６】
[0060]  いくつかの実施形態では、例えば図１２に示されるように、ポート５２の少なくとも１つが、ポート５２を通る空気流を遮断する、または実質的に遮断するように中に位置付けられた取り外し可能キャップ７２を含む。すなわち、キャップ７２はそれぞれ、周囲空気がポート５２を通って空洞６２に入るのを防止し、および／または空洞６２内の空気が、ポート５２を通って空洞６２から漏れることを防止する。いくつかの実施形態では、キャップ７２は、空気を通過させない中実の非多孔性の材料を備える。一実施形態では、キャップ７２はそれぞれ、キャップ７２がポート５２内に位置付けられたときに面５４に係合するリップ７４を含み、キャップ７２がポート５２を通って空洞６２内に落下することを防止する。いくつかの実施形態では、キャップ７２は、例えば摩擦係合、螺合、相互の溝、ねじ、接着剤、くぎ、返しとげ、および／または隆起要素など、様々な態様でまち４４と連結され得る。いくつかの実施形態では、ポート５２および／またはまちを通る空気流の量を調整するために使用者が選択的にキャップ７２を取り外すことができるように、ポート５２のそれぞれに、最初からキャップ７２が中に設けられている。例えば、使用者が、枕３０の側部よりも、枕３０の端部からより多くの空気流を出したい場合、使用者は、部分４４Ａ、４４Ｂのポート５２内のキャップ７２を残し、部分４４Ｃ、４４Ｄのポート５２からキャップ７２の少なくとも１つを取り除いてもよい。同様に、使用者が、枕３０の端部よりも、枕３０の側部からより多くの空気流を出したい場合、使用者は、部分４４Ｃ、４４ｄのポート５２内のキャップ７２を残し、部分４４Ａ、４４Ｂのポート５２からキャップ７２の少なくとも１つを取り除いてもよい。いくつかの実施形態では、キャップ７２は、空気流がポート５２を通らないようにするための気密である封止部を、まちとともに形成する。いくつかの実施形態では、キャップ７２は、キャップ７２がポート５２に位置付けられるとき、制限された空気流がポート５２を通ることができるようにする。すなわち、キャップ７２がポート５２から取り外されたときと比べて、キャップ７２がポート５２に位置付けられたときには、ポート５２を通る空気流の量が低減される。
【００３７】
[0061]  図１２Ａおよび図１２Ｂに示される一実施形態では、ポート５２の少なくとも１つは、空気がポート５２を通って空洞６２に入ることを防止し、空洞６２内の空気がポート５２を通って空洞６２から出ることを防止する可動式フラップ８６を含む。いくつかの実施形態では、フラップ８６は、例えば気密、または水密である封止部をポート５２の内側面とともに形成するゴムまたはシリコーンなどの材料の一部分である。フラップ８６は、図１２Ａに示される閉位置、すなわちフラップ８６が、空気がポート５２を通って空洞６２に入ることを防止し、空洞６２内の空気がポート５２を通って空洞６２から出ることを防止する構成、と、図１２Ｂに示される開構成、すなわちフラップ８６が、空気がポート５２を通って空洞６２に入ること可能にし、空洞６２内の空気がポート５２を通って空洞６２から出ることを可能にする構成、との間で可動である。いくつかの実施形態では、フラップ８６は、閉構成に付勢される。いくつかの実施形態では、フラップ８６は、例えば使用者の指をポート５２に入れてフラップ８６に力を加えるなど、物体を挿入することによって閉構成から開構成に移動される。いくつかの実施形態では、フラップ８６は、開構成に移動された後は開構成のままである。いくつかの実施形態では、フラップ８６を開構成に保つために、フラップ８６に加えられる力が維持されなくてはならない。
【００３８】
[0062]  いくつかの実施形態では、枕３０は、例えば図１３に示されるように、部分４４Ａにあるポート５２の少なくとも１つと、部分４４Ｂにあるポート５２の少なくとも１つとの間に延在し、それらを連結する連結要素７６を含む。すなわち、要素７６は、ポート５２の１つを、対向するポート５２に連結する導管またはチューブである。要素７６はそれぞれ、チャネル７６Ａを画成する内側面を含む。各要素７６の対向する端部は、チャネル７６Ａ、およびポート５２のうちのそれぞれの１つと連通している開口部を含む。いくつかの実施形態では、要素７６は、要素７６の内側面および外側面を通って延在する少なくとも１つの孔または開口部７８を含み、その孔または開口部７８は空洞６２と連通している。したがって、周囲空気はポート５２を通って要素７６に入り、開口部７８を介して要素７６から出て、室６２内の周囲空気を分散させる。同様に、室６２内の空気は、開口部７８を通って要素７６に入り、次いでポート５２を通って枕から出る。したがって、要素７６は、空気流をポート５２に出入りするように方向付ける役割を果たす。いくつかの実施形態では、要素７６は、開口部７８を全く含まないが、空気が要素７６に出入りすることを可能にするように多孔性であり、上記で検討したやり方で空気流をポート５２に出入りするように方向付ける。いくつかの実施形態では、要素７６および／または開口部７８は、例えば楕円形状、長円形状、三角形状、矩形状、正方形状、多角形状、不規則な形状、均一な形状、不均一な形状、可変の形状、管状、および／または先細の形状などの様々な断面構成を有してもよい。いくつかの実施形態では、開口部７８は、チャネル７６Ａに対して、例えば、横方向の配向、垂直方向の配向、ならびに／または、鋭角もしくは鈍角、同軸および／もしくはずれた、もしくは千鳥状などの他の角度での配向など、交互に配向されて配設されてもよい。
【００３９】
[0063]  いくつかの実施形態では、例えば図１４に示されるように、枕３０は、部分４４Ｃにあるポート５２の少なくとも１つと、部分４４Ｃにあるポート５２の少なくとも１つとの間に延在し、それらを連結する連結要素８０を含む。すなわち、要素８０は、ポート５２の１つを、対向するポート５２と連結する導管またはチューブである。要素８０はそれぞれ、チャネル８０Ａを画成する内側面を含む。各要素８０の対向する端部は、チャネル８０Ａ、およびポート５２のうちのそれぞれの１つと連通している開口部を含む。いくつかの実施形態では、要素８０は、要素８０の内側面および外側面を通って延在する少なくとも１つの孔または開口部８２を含み、その孔または開口部８２は空洞６２と連通している。したがって、周囲空気はポート５２を通って要素８０に入り、開口部８２を介して要素８０から出て、室６２内の周囲空気を分散させる。同様に、室６２内の空気は、開口部８２を通って要素８０に入り、次いでポート５２を通って枕から出る。したがって、要素８０は、空気流をポート５２に出入りするように方向付ける役割を果たす。いくつかの実施形態では、要素８０は、開口部を全く含まないが、空気が要素８０に出入りすることを可能にするように多孔性であり、上記で検討したやり方で空気流をポート５２に出入りするように方向付ける。いくつかの実施形態では、要素８０および／または開口部８２は、例えば楕円形状、長円形状、三角形状、矩形状、正方形状、多角形状、不規則な形状、均一な形状、不均一な形状、可変の形状、管状、および／または先細の形状などの様々な断面構成を有してもよい。いくつかの実施形態では、要素７６は、要素８０に垂直に延在する。いくつかの実施形態では、要素７６は、要素８０に対して、例えば、横方向の配向、垂直方向の配向、ならびに／または、鋭角もしくは鈍角、同軸および／もしくはずれた、もしくは千鳥状などの他の角度での配向など、交互に配向されて配設されてもよい。いくつかの実施形態では、開口部８２は、チャネル８０Ａに対して、例えば、横方向の配向、垂直方向の配向、ならびに／または、鋭角もしくは鈍角、同軸および／もしくはずれた、もしくは千鳥状などの他の角度での配向など、交互に配向されて配設されてもよい。
【００４０】
[0064]  いくつかの実施形態では、要素７６は、面３４Ａ、３６Ａ、３８Ａ、４０Ａよりも面３４、３６、３８、４０の近くに位置付けられたポート５２同士を連結し、要素８０は、面３４、３６、３８、４０よりも面３４Ａ、３６Ａ、３８Ａ、４０Ａの近くに位置付けられたポート５２同士を連結し、それにより、要素７６が要素８０を横断することがなくなり、逆も同様になる。いくつかの実施形態では、要素７６は、面３４、３６、３８、４０よりも面３４Ａ、３６Ａ、３８Ａ、４０Ａの近くに位置付けられたポート５２同士を連結し、要素８０は、面３４Ａ、３６Ａ、３８Ａ、４０Ａよりも面３４、３６、３８、４０の近くに位置付けられたポート５２同士を連結し、それにより、要素７６が要素８０を横断することがなくなり、逆も同様になる。
【００４１】
[0065]  いくつかの実施形態では、要素７６は、面３４、３６、３８、４０と、面３４Ａ、３６Ａ、３８Ａ、４０Ａとの間で等距離に位置付けられたポート５２同士を連結し、要素８０は、面３４Ａ、３６Ａ、３８Ａ、４０Ａと、面３４、３６、３８、４０との間で等距離に位置付けられたポート５２同士を連結し、それにより、例えば図１５に示されるように、要素７６が要素８０と交差、またはそれを横断し、逆も同様になる。要素７６のそれぞれは、他の要素７６と連通している。要素８０のそれぞれは、他の要素８０と連通している。要素７６は、要素８０と連通し、逆も同様であり、それによりチャネル７６Ａはチャネル８０Ａと連通している。この構成により、ポート５２と連通している連結要素の網目構造がもたらされて、ポート５２を通って空洞６２に出入りする空気流がもたらされる。
【００４２】
[0066]  ポート５２に加えて、まち４４は、例えば図１６に示されるように、その中に位置付けられた少なくとも１つの通気口８４を含んでもよい。いくつかの実施形態では、通気口８４は、空気が空洞６２内に入ることを可能にし、かつ空気が空洞６２から出ることを防止する。いくつかの実施形態では、通気口８４は、空気が空洞６２から出ることを可能にし、かつ空気が空洞６２に入ることを防止する。いくつかの実施形態では、枕３０は、空気が空洞６２内に入ることを可能にしかつ空気が空洞６２から出ることを防止する少なくとも１つの通気口８４と、空気が空洞６２から出ることを可能にしかつ空気が空洞６２に入ることを防止する少なくとも１つの通気口８４とを含む。通気口８４は、まち４４に沿った任意の部分に位置付けられてもよい。
【００４３】
[0067]  いくつかの実施形態では、まち４４は、パネル３２および／またはパネル３２Ａの一部分だけを囲む。例えば、図１７に示される一実施形態では、面３８は面３８Ａに係合し、面４０は面４０に係合し、面３４は面３４Ａに係合し、まち４４は、面３６と面３６Ａとの間に位置付けられる。図１８に示される一実施形態では、面３８は面３８Ａに係合し、面４０は面４０に係合し、面３６は面３６Ａに係合し、まち４４は、面３４と面３４Ａとの間に位置付けられる。これらの構成は、まち４４を枕３０の１つの端部に位置付けて、まち４４を含む枕３０の端部を通って空洞６２に出入りする空気流を増加させる。
【００４４】
[0068]  図１７および図１８に示される一実施形態では、面３８は面３８Ａに係合し、面４０は面４０Ａに係合し、まち４４は、面３４と面３４Ａとの間に位置付けられた第１の部分と、面３６と面３６Ａとの間に位置付けられた第２の部分とを備える。まち４４の第１の部分は、まち４４の第２の部分から離間している。この構成は、まち４４を枕３０の対向する端部に位置付けて、枕３０の対向する端部を通って空洞６２に出入りする空気流を増加させる。
【００４５】
[0069]  図１９に示される一実施形態では、面４０は面４０Ａに係合し、面３４は面３４Ａに係合し、面３６は面３６Ａに係合し、まち４４は、面３８と面３８Ａとの間に位置付けられる。図２０に示される一実施形態では、面３８は面３８Ａに係合し、面３４は面３４Ａに係合し、面３６は面３６Ａに係合し、まち４４は、面４０と面４０Ａとの間に位置付けられる。これらの構成は、まち４４を枕３０の１つの側部に位置付けて、まち４４を含む枕３０の測部を通って空洞６２に出入りする空気流を増加させる。
【００４６】
[0070]  図１９および図２０に示される一実施形態では、面３４は面３４Ａに係合し、面３６は面３６Ａに係合し、まち４４は、面３８と面３８Ａとの間に位置付けられた第１の部分と、面４０と面４０Ａとの間に位置付けられた第２の部分とを備える。まち４４の第１の部分は、まち４４の第２の部分から離間している。この構成は、まち４４を枕３０の対向する側部に位置付けて、枕３０の対向する側部を通って空洞６２に出入りする空気流を増加させる。
【００４７】
[0071]  本明細書で開示された実施形態には、様々な修正を加えてもよいことが理解される。例えば、任意の一実施形態の特徴は、任意の他の実施形態の特徴と組み合わせることができる。したがって、上の記述は限定と解釈されるべきではなく、単に様々な実施形態の例示として解釈されるべきである。当業者であれば、本明細書に添付された請求項の範囲および趣旨内で、他の修正形態を考案するであろう。
【図１】
2018504169.tif 000003
【図１Ａ】
2018504169.tif 000004
【図２】
2018504169.tif 000005
【図２Ａ】
2018504169.tif 000006
【図３】
2018504169.tif 000007
【図４】
2018504169.tif 000008
【図４Ａ】
2018504169.tif 000009
【図４Ｂ】
2018504169.tif 000010
【図４Ｃ】
2018504169.tif 000011
【図５】
2018504169.tif 000012
【図６】
2018504169.tif 000013
【図７】
2018504169.tif 000014
【図８】
2018504169.tif 000015
【図９】
2018504169.tif 000016
【図１０】
2018504169.tif 000017
【図１１】
2018504169.tif 000018
【図１２】
2018504169.tif 000019
【図１２Ａ】
2018504169.tif 000020
【図１２Ｂ】
2018504169.tif 000021
【図１３】
2018504169.tif 000022
【図１４】
2018504169.tif 000023
【図１５】
2018504169.tif 000024
【図１６】
2018504169.tif 000025
【図１７】
2018504169.tif 000026
【図１８】
2018504169.tif 000027
【図１９】
2018504169.tif 000028
【図２０】
2018504169.tif 000029
【国際調査報告】
2018504169.tif 000030
2018504169.tif 000031
2018504169.tif 000032
2018504169.tif 000033
2018504169.tif 000034